(57)【要約】【課題】遊技球が繰り返し衝突、摺擦しても塗料が脱落することがなく、外観を長期に渡って維持することができる要保護面の塗装構造を提供する。【解決手段】要保護面の塗装構造は、遊技盤面、或いは盤面部品の塗装面のうちで遊技球が接触する要保護面４１に形成される塗装構造であって、要保護面には、多数の微細な凹部４２ａと凸部とからなる粗面化領域４２を備え、各凹部内にのみ塗料４３が充填されている。【選択図】図４
2009195779.tif 000002
【特許請求の範囲】
【請求項１】
遊技盤面、或いは盤面部品の塗装面のうちで遊技球が接触する要保護面に形成される塗装構造であって、
前記要保護面には、多数の微細な凹部と凸部とからなる粗面化領域を備え、
前記各凹部内にのみ塗料が充填されていることを特徴とする要保護面の塗装構造。
【請求項２】
前記粗面化領域は、化学エッチングによりシボ加工を施すことにより形成した微細な凹部と凸部を備え、前記各凹部内にのみ塗料が充填されていることを特徴とする請求項１に記載の要保護面の塗装構造。
【請求項３】
化学エッチングにより要保護面に微細な凹部と凸部を形成する工程と、
前記凹部内と前記凸部表面に塗装することにより塗膜を形成する工程と、
前記凸部表面に形成された塗膜を除去する工程と、
を備えたことを特徴とする要保護面の塗装方法。
【請求項４】
請求項１、又は２に記載の要保護面の塗装構造を備えたことを特徴とする遊技盤。
【請求項５】
請求項４に記載の遊技盤を備えたことを特徴とするパチンコ遊技機。
【発明の詳細な説明】
【技術分野】
【０００１】
本発明は、遊技領域内を流下する遊技球との接触により塗料が脱落することによって外観が悪化し易い塗装面の改良に関し、特に遊技球の衝突、摺擦によっても塗料が脱落せずに長期に渡って美観を維持することができる要保護面の塗装構造、遊技盤、及びパチンコ遊技機に関する。
【背景技術】
【０００２】
パチンコ遊技機においては、遊技盤の盤面に入賞口、風車、可変表示装置、電飾装置等の各種盤面部品を設けて遊技内容の多様性を図り、遊技の進行中における入賞、その他の状況変化を契機として可動盤面部品を種々の方向に動作させることにより演出効果を高めている。
遊技盤の遊技領域内に打ち込まれた遊技球は、遊技釘、その他の盤面部品に接触して方向を変換しながら流下して行くが、遊技盤や盤面部品の塗装面に対して遊技球が繰り返し、衝突、摺擦すると、経時的に塗料が剥げて外観が悪化する。特に、金属、樹脂等の平滑な表面に塗料を均一厚に塗布することにより形成した塗膜は遊技球からの衝撃により破壊されて脱落し易いため、外観の悪化が著しいものとなる。遊技者から視認し易い部位の塗装が剥げて外観が悪化した遊技機は遊技者から敬遠され易く、廃台となる時期が早まるため、遊技場サイドの経済的損失が大きくなる。
【０００３】
一方、実公平７−２１３５６号には、被塗装面に予めシボ加工により多数の細かい凸部を形成しておき、この凸部の突出面にのみ干渉性塗料を塗布して固着させる技術が開示されている。しかし、この塗装技術を用いて遊技盤の塗装面を形成した場合、凸部表面の塗料に対して遊技球が繰り返し衝突、摺擦することにより、塗料の剥離が促進されて外観が早期に悪化することは明かである。
従来から上記の如き遊技球による塗料の剥離という問題を解決すべきことが求められていたが、これまで適切な改善策が提案されたことはない。
【特許文献１】実公平７−２１３５６号
【発明の開示】
【発明が解決しようとする課題】
【０００４】
本発明は上記に鑑みてなされたものであり、遊技球が繰り返し衝突、摺擦しても塗料が脱落することがなく、外観を長期に渡って維持することができる要保護面の塗装構造、遊技盤、及び遊技機に関する。
【課題を解決するための手段】
【０００５】
上記目的を達成するため、請求項１に係る要保護面の塗装構造は、遊技盤面、或いは盤面部品の塗装面のうちで遊技球が接触する要保護面に形成される塗装構造であって、前記要保護面には、多数の微細な凹部と凸部とからなる粗面化領域を備え、前記各凹部内にのみ塗料が充填されていることを特徴とする。
要保護面に形成された微細な凹部と凸部のうちの凹部内にのみ塗料を残したので、遊技球からの衝撃、摩擦によっても塗膜がダメージを受けることがない。
請求項２の発明は、請求項１において、前記粗面化領域は、化学エッチングによりシボ加工を施すことにより形成した微細な凹部と凸部を備え、前記各凹部内にのみ塗料が充填されていることを特徴とする。
請求項３に係る要保護面の塗装方法は、化学エッチングにより要保護面に微細な凹部と凸部を形成する工程と、前記凹部内と前記凸部表面に塗装することにより塗膜を形成する工程と、前記凸部表面に塗布された塗膜を除去する工程と、を備えたことを特徴とする。
請求項４の発明に係る遊技盤は、請求項１、又は２に記載の要保護面の塗装構造を備えたことを特徴とする。
請求項５の発明に係るパチンコ遊技機は、請求項３に記載の遊技盤を備えたことを特徴とする。
【発明の効果】
【０００６】
以上のように本発明によれば、遊技盤の遊技領域や各種盤面部品の要保護面に粗面化処理を施して形成した粗面化領域を構成する凹部内にのみ塗料を充填して固化させたので、遊技球が衝突、摩擦、当接したとしても塗料が剥げる虞がなくなり、見栄えの良さを維持することができる。従って、遊技盤や盤面部品に部分的な塗料の剥離が発生したことによって遊技機を廃棄する必要がなくなり、遊技場運営上の経済性を高めることができる。
【発明を実施するための最良の形態】
【０００７】
以下、本発明を図面に示した実施の形態により詳細に説明する。
図１は本発明の実施の形態に係るパチンコ遊技機の全体正面図であり、図２は斜め上方から見た斜視図であり、図３は要部構成を示す拡大図であり、図４は要保護面の拡大図である。
パチンコ遊技機１は、矩形形状の枠２を有し、この枠２の窓孔に対して裏側から遊技盤３が着脱可能に取り付けられている。
遊技盤３には、遊技領域の外周縁に沿って前方に突出されたガイドレールが設けられている。ガイドレールは発射装置から発射された遊技球を遊技領域の上部に案内したり、アウト球を回収するアウト口１８に案内したりする外レールＲ１及び内レールＲ２により構成される。
遊技盤３の前面側には、図示しないガラス枠が開閉可能に取り付けられている。また遊技盤３の下部には遊技球を貯留する受け皿部４と、受け皿部４内の遊技球を発射する発射レバー５等が設けられている。また、受け皿部４の上部には、例えば遊技演出用のチャンスボタンや十字キーなどの操作部６や、遊技球の購入ボタンや購入取り消しボタンなどが設けられている。
遊技盤３の略中央に設けた開口部３ａ内には、図柄表示装置９が配置されている。図柄表示装置９は、例えば、液晶表示装置等の液晶表示パネルによって構成され、通常動作状態の時は図示しない特別図柄画像が表示される。また、所謂リーチ状態や特別遊技状態の時はそれぞれの遊技状態であることを示す演出画像等が表示される。
図柄表示装置９の下方には、図柄表示装置９の特別図柄を可変表示させるための可変入賞装置１１が設けられている。
【０００８】
また、図柄表示装置９の左側には、遊技盤３の右下部に配置された普通図柄表示装置１０に表示される普通図柄を作動させるためのゲート１２が設けられている。
さらに、可変入賞装置１１の下方には、特別遊技状態の一つである大当り状態のときに開成状態になる開閉扉を有する大入賞口１３が設けられている。
可変入賞装置１１は、図柄表示装置９を可変表示させるための上始動ポケット１４と、左右一対の開閉爪（可動片）を有する電動式チューリップ１７とを備えている。
また遊技盤３には、普通入賞口１６が設けられていると共に、風車１５や多数の遊技釘が突設されている。遊技釘は、遊技球の落下速度を遅くすると共に、落下方向を複雑に変化させて遊技進行上の興趣を高めている。
普通図柄表示装置１０に表示される普通図柄は、１個または複数個の図柄を変動表示可能であり、普通図柄始動口としてのゲート１２が遊技球を検出することを条件に、その図柄が乱数制御等により所定時間可変して停止するようになっている。
【０００９】
普通図柄としては、数字図柄、アルファベット図柄、キャラクター図柄、その他の適宜の遊技図柄が使用される。そして、ゲート１２を遊技球が通過したことを条件に乱数制御により普通図柄が所定態様となった場合に、可変入賞装置１１に設けられた電動式チューリップから成る可動片を所定時間、開成動作するように構成されている。
図柄表示装置９に表示される特別図柄は、停止図柄が予め定められた図柄の組合せ、例えば同一図柄の組合せとなった場合に大当り状態となるように構成されている。また特別図柄は、可変入賞装置１１の上始動ポケット１４、又は電動式チューリップの開成動作により遊技球が誘導される下始動口（図示していない）への遊技球の入賞を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当り状態が発生する。なお、特別図柄としては、数字図柄、アルファベット図柄、キャラクター図柄等が使用可能である。
更に、図柄表示装置９を取り囲むように飾り枠を兼ねた遊技球誘導装置２０が配置されている。遊技球誘導装置２０は、遊技球入口２１ａから入球した遊技球Ｂを誘導する遊技球誘導通路２１と、遊技球誘導通路２１の遊技球出口２１ｂから排出された遊技球Ｂを一旦受けた後、前方へ落下させるステージ部３０と、を備えている。ステージ部３０は、可変入賞装置１１の直上位置にあり、ステージ部から遊技球Ｂを遊技領域内に落下させることで、可変入賞装置１１に入球し易くしたり、入球しそうな状態を頻繁に作り出すことができる。
【００１０】
遊技盤の開口部３ａの下縁３ｂに沿った位置には雪が積もった丘を象った固定盤面部品４０が配置されると共に、固定盤面部品の裾部から前方へ向けてステージ部３０が連設されている。固定盤面部品４０の表面（要保護面）４１には白色、或いは銀色の塗料が塗布されて積雪を表現している。更に、表面４１には保留ランプ４５が配置されている。
遊技球誘導装置２０の遊技球出口２１ｂからステージ部３０上に排出されてきた遊技球Ｂは排出時の勢いによって固定盤面部品４０の表面（要保護面）４１に衝突したり、該表面に沿って転動する。仮に、固定盤面部品４０の表面の塗膜が平滑面に形成された塗膜である場合には、繰り返し加わる衝撃、摩擦により早期に塗料が剥げ落ちて見栄えを悪化させるが、本発明においては。固定盤面部品４０の表面４１を予めシボ加工によって粗面化した粗面化領域を形成しておき、粗面を構成する微細な凹凸の凹部内にのみ塗料を充填して固化させているので、遊技球からの衝撃、摩擦によって塗料が剥げる虞が皆無となる。
即ち、本願発明においては、要保護面としての固定盤面部品の表面４１に本発明特有の塗装構造を採用することによってその耐久性を高めている。
【００１１】
要保護面４１とは、遊技盤面、或いは盤面部品の塗装面のうちで遊技球が接触する面を指称する。要保護面４１には、多数の微細な凹部と凸部とからなる粗面化領域４２を備え、１ｍｍ以下の深さを有した各凹部４２ａ内にのみ塗料４３が充填されて固化されている構成が特徴的である。
粗面化領域４２は、化学エッチングによりシボ加工を施すことにより形成した微細な凹部と凸部とを備え、各凹部内にのみ塗料が充填されている。
本発明の塗装構造は、化学エッチングにより要保護面に微細な凹部と凸部を形成する工程と、前記凹部内と前記凸部表面に塗装することにより塗膜を形成する工程と、前記凸部表面に塗布された塗膜を除去する工程と、によって製造される。
なお、シボ加工とは周知のように、主として薬品によって金属を溶解させる化学的腐食（エッチング）による粗面加工法であり、シボ加工を施したプラスチック成形金型の成形面の形状をプラスチック成形品に転写させることにより、粗面化された成形面を得ることができる。
【００１２】
本発明においては、例えば、射出成形により形成した粗面化領域４２に塗料を塗布し、塗料が乾燥する前に粗面化領域を構成する凸部表面の塗料を拭き取る（除去する）ことによって、凹部内のみに塗料を残留させる手法を採用する。或いは、塗料がある程度乾燥した時点で、溶剤を用いて凸部表面の塗料のみを拭き取っても良い。
なお、本発明による塗装構造を適用可能な要保護面は、遊技球が接触（衝突、摺擦、当接）するあらゆる部位を含むものである。
以上のように本発明においては、遊技球が接触する部位、例えば遊技盤の遊技領域内の各接触部位、及び各種盤面部品の各接触部位に粗面化処理を施すと共に、粗面化領域を構成する凹部内にのみ塗料を充填して固化させたので、遊技球が衝突、摩擦、当接したとしても塗料が剥げる虞がなくなり、見栄えの良さを維持することができる。従って、遊技盤や盤面部品に部分的な塗料の剥離が発生したことによって遊技機を廃棄する必要がなくなり、遊技場運営上の経済性を高めることができる。
【図面の簡単な説明】
【００１３】
【図１】本発明の一実施の形態に係るパチンコ遊技機の全体正面図である。
【図２】遊技球誘導装置を斜め上方から見た斜視図である。
【図３】要保護面の構成を示す拡大図である。
【図４】要保護面の細部構成を示す断面拡大図である。
【符号の説明】
【００１４】
１…パチンコ遊技機、２…枠、３…遊技盤、３ａ…開口部、３ｂ…下縁、４…皿部、５…発射レバー、６…操作部、１０…普通図柄表示装置、１１…可変入賞装置、１２…ゲート、１３…大入賞口、１４…上始動ポケット、１５…風車、１６…普通入賞口、１７…電動式チューリップ、１８…アウト口、２０…遊技球誘導装置、２１…遊技球誘導通路、２１ａ…遊技球入口、２１ｂ…遊技球出口、３０…ステージ部、４０…固定盤面部品、４１…表面（要保護面）、４２…粗面化領域、４２ａ…凹部、４３…塗料、４５…保留ランプ
【図１】
2009195779.tif 000003
【図２】
2009195779.tif 000004
【図３】
2009195779.tif 000005
【図４】
2009195779.tif 000006